(57)【要約】【課題】被清掃面から異物をより効果的に取り除くことができる粘着ロールクリーナーを提供する。【解決手段】把持部１１を備えた支持体１０と、支持体１０に回転自在に支持され、外周面が粘着面１８ａとなる第１粘着ロール１８が装着された第１ローラ１６と、支持体１０に回転自在に支持され、外周面が粘着面１９ａとなる第２粘着ロール１９が装着された第２ローラ１７とを有し、第１ローラ１６の回転中心軸Ｌ２の軸方向が第２ローラ１７の回転中心軸Ｌ３の軸方向に対して傾斜していることを特徴とする粘着ロールクリーナー１。【選択図】図１
2018047065.tif 000002
【特許請求の範囲】
【請求項１】
把持部を備えた支持体と、
前記支持体に回転自在に支持され、外周面が粘着面となる第１粘着ロールが装着された第１ローラと、
前記支持体に回転自在に支持され、外周面が粘着面となる第２粘着ロールが装着された第２ローラとを有し、
前記第１ローラの回転中心軸の軸方向が前記第２ローラの回転中心軸の軸方向に対して傾斜していることを特徴とする粘着ロールクリーナー。
【請求項２】
前記支持体が、
前記把持部を備えた棒材と、
前記棒材の先端に、該棒材の側方に向けて突出して設けられた第１支持軸と、
前記棒材の先端に、該棒材を挟んで前記第１支持軸と対称に突出して設けられた第２支持軸と備え、
前記第１支持軸に前記第１ローラが回転自在に装着され、
前記第２支持軸に前記第２ローラが回転自在に装着されている、請求項１に記載の粘着ロールクリーナー。
【請求項３】
前記第１支持軸と前記第２支持軸が、それぞれ前記棒材に直交する方向に対して前記把持部の側に向けて傾斜している、請求項２に記載の粘着ロールクリーナー。
【請求項４】
前記棒材の先端に、前記第１支持軸と前記第２支持軸とに対して、前記棒材を、前記第１支持軸と前記第２支持軸とを含む平面の上下方向に向けて回動自在に連結する回動連結部が設けられている、請求項１〜３の何れか１項に記載の粘着ロールクリーナー。
【請求項５】
前記第１支持軸と前記第２支持軸とを含む平面内に前記把持部が配置されるとともに、
前記棒材が、前記平面の上下方向に向けて撓み変形自在である、請求項１〜３の何れか１項に記載の粘着ロールクリーナー。
【請求項６】
前記粘着ロールが、粘着面を備えた粘着シートを該粘着面を外側としてロール状に巻くとともに該粘着シートに軸方向に沿ってミシン目を入れたものである、請求項１〜５の何れか１項に記載の粘着ロールクリーナー。
【発明の詳細な説明】
【技術分野】
【０００１】
本発明は、外周面が粘着面となる粘着ロールを備えた粘着ロールクリーナーに関する。
【背景技術】
【０００２】
従来から、衣類や絨毯等の被清掃面に付着した糸屑や毛髪等の異物を取り除くためのクリーナー（清掃具）として、外周面が粘着面となる粘着ロールを備えた粘着ロールクリーナーが知られている。
【０００３】
例えば特許文献１には、把持部を備えた支持体と、支持体に回転自在に支持されたローラと、このローラの外周に装着された粘着ロールとを有する粘着ロールクリーナーが記載されている。この粘着ロールクリーナーによれば、把持部を手で持って粘着ロールを被清掃面に押し当てて転がすことにより、当該被清掃面上の異物を粘着面に付着させて取り除くことができる。
【先行技術文献】
【特許文献】
【０００４】
【特許文献１】特開２０１０−２８４３９５号公報
【発明の概要】
【発明が解決しようとする課題】
【０００５】
上記従来の粘着ロールクリーナーでは、その粘着ロールとして、粘着シートをその粘着面を外側としてロール状に巻くとともに当該粘着シートに軸方向に沿ってミシン目が入れた構成のものが用いられるのが一般的である。このような粘着ロールを用いることにより、粘着面に異物が付着すること等によって粘着ロールの粘着力が低下した場合であっても、当該ミシン目に沿って粘着シートの粘着力が低下した部分を切り取ることにより新しい粘着面を露出させ、当該粘着ロールにより繰り返し異物を取り除くことができる。
【０００６】
しかしながら、このような粘着ロールを用いた場合であっても、粘着面に付着させることができる異物の量には限度があるので、その使用頻度が高くなると、粘着ロールの粘着力がすぐに低下してしまい、粘着シートを頻繁に切り取る必要があるという問題点があった。
【０００７】
また、クリーニング後の乾燥した衣類から細かな塵等の異物を取り除くために上記粘着ロールクリーナーを用いる場合において、衣類等がしわになって折れ曲がった部分の内側にある異物を取り除く際には、手で折れ曲がった部分を広げながら粘着ロールを押し付ける必要があり、その作業が煩雑であるという問題点もあった。
【０００８】
本発明の目的は、このような点を解決することを課題とするものであり、その目的は、被清掃面から異物をより効果的に取り除くことができる粘着ロールクリーナーを提供することにある。
【課題を解決するための手段】
【０００９】
本発明の粘着ロールクリーナーは、把持部を備えた支持体と、前記支持体に回転自在に支持され、外周面が粘着面となる第１粘着ロールが装着された第１ローラと、前記支持体に回転自在に支持され、外周面が粘着面となる第２粘着ロールが装着された第２ローラとを有し、前記第１ローラの回転中心軸の軸方向が前記第２ローラの回転中心軸の軸方向に対して傾斜していることを特徴とする。
【００１０】
本発明の粘着ロールクリーナーは、上記構成において、前記支持体が、前記把持部を備えた棒材と、前記棒材の先端に、該棒材の側方に向けて突出して設けられた第１支持軸と、前記棒材の先端に、該棒材を挟んで前記第１支持軸と対称に突出して設けられた第２支持軸と備え、前記第１支持軸に前記第１ローラが回転自在に装着され、前記第２支持軸に前記第２ローラが回転自在に装着されているのが好ましい。
【００１１】
本発明の粘着ロールクリーナーは、上記構成において、前記第１支持軸と前記第２支持軸が、それぞれ前記棒材に直交する方向に対して前記把持部の側に向けて傾斜しているのが好ましい。
【００１２】
本発明の粘着ロールクリーナーは、上記構成において、前記棒材の先端に、前記第１支持軸と前記第２支持軸とに対して、前記棒材を、前記第１支持軸と前記第２支持軸とを含む平面の上下方向に向けて回動自在に連結する回動連結部が設けられているのが好ましい。
【００１３】
本発明の粘着ロールクリーナーは、上記構成において、前記第１支持軸と前記第２支持軸とを含む平面内に前記把持部が配置されるとともに、前記棒材が、前記平面の上下方向に向けて撓み変形自在であるのが好ましい。
【００１４】
本発明の粘着ロールクリーナーは、上記構成において、前記粘着ロールが、粘着面を備えた粘着シートを該粘着面を外側としてロール状に巻くとともに該粘着シートに軸方向に沿ってミシン目を入れたものであるのが好ましい。
【発明の効果】
【００１５】
本発明によれば、被清掃面から異物をより効果的に取り除くことができる粘着ロールクリーナーを提供することができる。
【図面の簡単な説明】
【００１６】
【図１】本発明の一実施形態である粘着ロールクリーナーの平面図である。
【図２】図１に示す粘着ロールを矢視Ａから見た説明図である。
【図３】図１に示す粘着ロールクリーナーにより被清掃面を清掃している状態を示す説明図である。
【図４】清掃時に粘着面に生じる力の関係を示す説明図である。
【図５】図１に示す粘着ロールクリーナーの変形例の粘着ロールクリーナーを、被清掃面を清掃している状態で示す説明図である。
【発明を実施するための形態】
【００１７】
以下、本発明を図面に基づいて詳細に例示説明する。
【００１８】
図１に示す本発明の一実施の形態である粘着ロールクリーナー１は、例えば衣類や絨毯等の被清掃面に付着した糸屑や毛髪等の異物（塵）を取り除くために用いることができるものである。
【００１９】
この粘着ロールクリーナー１は支持体１０を有しており、この支持体１０は把持部１１を備えている。本実施の形態においては、把持部１１は支持体１０を構成する真っ直ぐな棒材１２の一端側に設けられている。把持部１１は、粘着ロールクリーナー１を使用する際に使用者に把持される部分であり、使用者は把持部１１を把持して粘着ロールクリーナー１を操作することができる。
【００２０】
また、支持体１０は、それぞれ棒材１２の先端に連なる第１支持軸１３と第２支持軸１４とを備えている。
【００２１】
第１支持軸１３は真っ直ぐな棒状に形成され、棒材１２の先端から、この棒材１２の側方に向けて突出している。より具体的には、第１支持軸１３は、棒材１２に対して所定の角度で傾斜した姿勢で棒材１２の側方に向けて延在している。
【００２２】
同様に、第２支持軸１４は真っ直ぐな棒状に形成され、棒材１２の先端から、この棒材１２の側方に向けて第１支持軸１３とは反対側に突出している。より具体的には、第２支持軸１４は、棒材１２に対して所定の角度で傾斜した姿勢で棒材１２の側方に向けて延在している。
【００２３】
ここで、第１支持軸１３は、棒材１２に直交する方向Ｌ１に対して把持部１１の側に向けて所定の角度α（図４参照）で傾斜している。同様に、第２支持軸１４も、棒材１２に直交する方向Ｌ１に対して把持部１１の側に向けて、第１支持軸１３が棒材１２に対して成す角度αと同一の角度α（図４参照）で傾斜している。すなわち、第１支持軸１３と第２支持軸１４は、互いに棒材１２を挟んで対称に配置されている。なお、第１支持軸１３の軸方向と第２支持軸１４の軸方向は棒材１２の先端において交差している。
【００２４】
本実施の形態においては、棒材１２の先端に回動連結部１５が設けられている。棒材１２は、この回動連結部１５により、第１支持軸１３と第２支持軸１４とに対して、第１支持軸１３と第２支持軸１４とを含む平面（図３中に一点鎖線で示す面）の上下方向に向けて回動自在に連結されている。
【００２５】
回動連結部１５は、例えば、硬質のゴム材等の弾性体により形成され、弾性変形することにより棒材１２を第１支持軸１３と第２支持軸１４とに対して回動させる構成のものとすることができる。なお、回動連結部１５は、上記構成に限らず、棒材１２を第１支持軸１３と第２支持軸１４とに対して回動自在に連結することができる構成であれば、種々の構成とすることができる。
【００２６】
第１支持軸１３には第１ローラ１６が装着されている。第１ローラ１６は第１支持軸１３に支持され、当該第１支持軸１３を中心として回転自在となっている。同様に、第２支持軸１４には第２ローラ１７が装着されている。第２ローラ１７は第２支持軸１４に支持され、当該第２支持軸１４を中心として回転自在となっている。
【００２７】
第１ローラ１６の外周には、外周面が粘着面１８ａとなる第１粘着ロール１８が装着され、第２ローラ１７の外周には、外周面が粘着面１９ａとなる第２粘着ロール１９が装着されている。
【００２８】
図２に示すように、第１粘着ロール１８としては、シート材の一面に粘着剤が塗布された粘着面１８ａを有する粘着シートを、その粘着面１８ａを外側としてロール状に巻くとともに、その粘着シートに第１粘着ロール１８の軸方向に沿って延びるミシン目を入れた構成のものを用いることができる。ミシン目は、第１粘着ロール１８の外周面の周方向の一か所にのみ設けられ、ロール状に巻かれた粘着シートの全ての積層範囲に亘って設けられている。このような第１粘着ロール１８を用いることにより、粘着面１８ａの全面に糸屑や毛髪等の異物が付着すること等によって粘着面１８ａの粘着力が低下した場合に、当該ミシン目に沿って粘着シートを１周毎に切り取ることで、第１粘着ロール１８の外周面に新たな粘着面１８ａを露出させて、第１粘着ロール１８により繰り返し異物を取り除くことができる。
【００２９】
なお、第１粘着ロール１８としては、ミシン目が第１粘着ロール１８の軸方向に沿って延びて設けられるものに限らず、ミシン目が第１粘着ロール１８の軸方向に対して傾斜する方向に延びて設けられるものや、ミシン目が山形や波型に延びて設けられるものなど、粘着シートを１周毎に切り取ることができるものであれば種々のものを用いることができる。
【００３０】
詳細は図示しないが、第２粘着ロール１９としても、第１粘着ロール１８と同様の構成のものが用いられている。
【００３１】
第１粘着ロール１８は第１ローラ１６に対して着脱自在となっている。したがって、第１粘着ロール１８から全ての粘着シートが切り取られた場合には、第１粘着ロール１８を第１ローラ１６から取り外して新しい第１粘着ロール１８を第１ローラ１６に取り付けることができる。同様に、第２粘着ロール１９は第２ローラ１７に対して着脱自在となっており、使用後の第２粘着ロール１９を第２ローラ１７から取り外して新しい第２粘着ロール１９を第２ローラ１７に取り付けることができる。
【００３２】
上記の通り、第１支持軸１３の軸方向は第２支持軸１４の軸方向に対して傾斜しているので、図４に示すように、第１ローラ１６に取り付けられた第１粘着ロール１８の回転中心軸Ｌ２の軸方向は、第２ローラ１７に取り付けられた第２粘着ロール１９の回転中心軸Ｌ３の軸方向に対して角度βだけ傾斜している。すなわち、第１ローラ１６に取り付けられた第１粘着ロール１８の回転中心軸Ｌ２と、第２ローラ１７に取り付けられた第２粘着ロール１９の回転中心軸Ｌ３とは、互いに棒材１２の先端で交差するとともに、それぞれ棒材１２に直交する方向Ｌ１に対して同一の角度αで把持部１１の側に傾斜している。
【００３３】
次に、このような構成の粘着ロールクリーナー１を用いて、被清掃面Ｓに付着した糸屑や毛髪等の異物を取り除く手順について説明する。
【００３４】
被清掃面Ｓに付着した糸屑や毛髪等の異物を取り除く際には、図３に示すように、把持部１１を手で持って、第１粘着ロール１８と第２粘着ロール１９とを被清掃面Ｓに押し付ける。そして、この状態で把持部１１を前後に動かして第１粘着ロール１８と第２粘着ロール１９とを被清掃面Ｓ上で転がす。これにより、被清掃面Ｓに付着している糸屑や毛髪等の異物を第１粘着ロール１８の粘着面１８ａ及び第２粘着ロール１９の粘着面１９ａに付着させて被清掃面Ｓから取り除くことができる。
【００３５】
また、繰り返しの清掃を行うことで、第１粘着ロール１８の粘着面１８ａ及び第２粘着ロール１９の粘着面１９ａに隙間なく異物が付着しても、以下のように、粘着面１８ａ、１９ａの粘着力が回復される。
【００３６】
すなわち、第１粘着ロール１８の回転中心軸Ｌ２と第２粘着ロール１９の回転中心軸Ｌ３とが互いに傾斜しているので、第１粘着ロール１８と第２粘着ロール１９とを被清掃面Ｓ上で転がすと、その粘着面１８ａ、１９ａが被清掃面Ｓから回転方向に対して傾斜した方向の力を受けて、粘着面１８ａ、１９ａに塗布された粘着剤がよじれて、粘着面１８ａ、１９ａに異物が付着していない新たな粘着面１８ａ、１９ａが生じることになる。例えば、図４中に実線の矢印で示すように、把持部１１を手前（図４において下方）に引くように操作したときには、第１粘着ロール１８と第２粘着ロール１９の回転方向が把持部１１の移動方向に対して内側に向けて傾斜しているので、粘着面１８ａ、１９ａに塗布された粘着剤に、被清掃面Ｓから棒材１２の側に向く内向きの力が加えられ、当該粘着剤がそれぞれ棒材１２の側に向けてよじれることになる。反対に、図４中に破線の矢印で示すように、把持部１１を前方（図４において上方）に押すように操作したときには、第１粘着ロール１８と第２粘着ロール１９の回転方向が把持部１１の移動方向に対して外側に向けて傾斜しているので、粘着面１８ａ、１９ａに塗布された粘着剤に、被清掃面Ｓから棒材１２から離れる方向に向く外向きの力が加えられ、当該粘着剤がそれぞれ棒材１２から離れる側に向けてよじれることになる。そして、粘着剤がよじれることにより、粘着面１８ａ、１９ａに異物が付着してない新たな粘着剤の露出部分が生じ、粘着面１８ａ、１９ａの粘着力が回復することになる。
【００３７】
このように、本発明の粘着ロールクリーナー１によれば、繰り返しの清掃を行っても、順次、粘着面１８ａ、１９ａに異物が付着してない新たな粘着剤の露出部分が生じることになるので、粘着面１８ａ、１９ａの粘着力を高めて、被清掃面Ｓからより効果的に異物を取り除くことができる。また、粘着面１８ａ、１９ａにより多くの異物を付着させることができるので、１巻きの粘着シート分の第１粘着ロール１８及び第２粘着ロール１９によって多くの異物を除去することを可能として、第１粘着ロール１８及び第２粘着ロール１９の使用量を低減することができる。
【００３８】
さらに、クリーニング後の乾燥した衣類から細かな塵等の異物を取り除く用途に用いた場合では、衣類上で第１粘着ロール１８と第２粘着ロール１９とを転がすことによって、衣類を押し広げたり縮めたりすることができるので、衣類のしわになっている折れ曲がった部分の内側にある異物をも効果的に取り除くことができる。
【００３９】
ところで、この粘着ロールクリーナー１では、第１粘着ロール１８の回転中心軸Ｌ２と第２粘着ロール１９の回転中心軸Ｌ３とが互いに傾斜しているので、第１粘着ロール１８と第２粘着ロール１９とを、その軸方向（幅方向）の全範囲に亘って被清掃面Ｓに接触させるようにすると、図３中に二点鎖線で示すように、把持部１１や棒材１２は、第１粘着ロール１８の回転中心軸Ｌ２と第２粘着ロール１９の回転中心軸Ｌ３とを含んだ平面（図３中に一点鎖線で示す）に沿うように被清掃面Ｓに平行に配置されることになる。このような配置では、把持部１１を把持しづらく、粘着ロールクリーナー１の操作性が低下する。
【００４０】
これに対して、本実施の形態の粘着ロールクリーナー１では、棒材１２の先端に回動連結部１５を設けることにより、棒材１２及び把持部１１を当該平面に対して上下方向に回動自在としたので、図３に実線で示すように、把持部１１を当該平面の上方側に向けて斜めに突出する姿勢とすることができる。すなわち、第１粘着ロール１８の粘着面１８ａと第２粘着ロール１９の粘着面１９ａとを、その軸方向（幅方向）の全範囲に亘って被清掃面Ｓに接触させつつ把持部１１を操作し易い位置に配置することができる。これにより、この粘着ロールクリーナー１による清掃の効率を高めつつ、その操作性をも高めることができる。
【００４１】
図５は、図１に示す粘着ロールクリーナー１の変形例の粘着ロールクリーナー１を、被清掃面Ｓを清掃している状態で示す説明図である。
【００４２】
図１に示す実施の形態においては、棒材１２の先端に回動連結部１５を設けることで、把持部１１を、第１粘着ロール１８の回転中心軸Ｌ２と第２粘着ロール１９の回転中心軸Ｌ３とを含んだ平面の上方側に向けて斜めに突出する姿勢とすることを可能とする構成としている。これに対して、図５に示す変形例においては、棒材１２を、例えば硬質のゴムや樹脂材料等によって、該平面の上下方向に向けて撓み変形自在な構成としている。このような構成により、第１支持軸１３と第２支持軸１４とを含む平面内に把持部１１が配置される構成としても、使用時に、第１粘着ロール１８の粘着面１８ａと第２粘着ロール１９の粘着面１９ａとを、その軸方向（幅方向）の全範囲に亘って被清掃面Ｓに接触させつつ把持部１１を当該平面の上方側に向けて斜めに突出する操作し易い位置に配置することができる。
【００４３】
本発明は前記実施の形態に限定されるものではなく、その要旨を逸脱しない範囲で種々変更可能であることはいうまでもない。
【００４４】
例えば、前記実施の形態においては、粘着ロールクリーナー１を、衣類や絨毯等に付着した糸屑や毛髪等の異物を取り除く用途に用いるようにしているが、これに限らず、被清掃面Ｓに付着している異物を取り除く用途であれば、上記以外の種々の用途に用いることもできる。
【００４５】
また、本実施の形態においては、第１支持軸１３と第２支持軸１４とを、それぞれ棒材１２に直交する方向に対して把持部１１の側に向けて傾斜させるようにしているが、第１支持軸１３と第２支持軸１４とを、それぞれ棒材１２に直交する方向に対して把持部１１とは反対側に向けて傾斜させるようにしてもよい。また、第１支持軸１３が棒材１２に対して成す角度α、及び、第２支持軸１４が棒材１２に対して成す角度αは、それぞれ種々変更可能である。本実施の形態のように、第１支持軸１３と第２支持軸１４とを、それぞれ棒材１２に直交する方向に対して把持部１１の側に向けて傾斜させるようにした場合には、例えば部屋の四隅等を清掃する際に、第１粘着ロール１８又は第２粘着ロール１９の何れか一方により隅々まで取り残しなく清掃することができるという効果を得ることができる。
【符号の説明】
【００４６】
１    粘着ロールクリーナー
１０    支持体
１１    把持部
１２    棒材
１３    第１支持軸
１４    第２支持軸
１５    回動連結部
１６    第１ローラ
１７    第２ローラ
１８    第１粘着ロール
１８ａ  粘着面
１９    第２粘着ロール
１９ａ  粘着面
Ｓ    被清掃面
Ｌ１    棒材に直交する方向
α    角度
Ｌ２    第１粘着ロールの回転中心軸
Ｌ３    第２粘着ロールの回転中心軸
β    角度
【図１】
2018047065.tif 000003
【図２】
2018047065.tif 000004
【図３】
2018047065.tif 000005
【図４】
2018047065.tif 000006
【図５】
2018047065.tif 000007